(57)【特許請求の範囲】
【請求項１】
複数種の機能に関する動作内容を設定可能にした光電センサであって、
文字・記号等をデジタル表示するための２桁以上のデジタル表示器と、
このデジタル表示器の各桁毎に文字・記号等を表示させるための表示操作を行う入力手段と、
前記デジタル表示器に表示された文字・記号等に対して確定操作を行う確定操作手段と、
この確定操作手段によって確定された文字・記号等に対応させて予め割り付けられた動作内容を読み出して前記光電センサの動作内容として設定する動作設定手段とを備え、
前記動作設定手段において、前記デジタル表示器の少なくとも１桁については複数種の機能についての各動作内容の組み合わせをその桁に表示される文字・記号等に割り付けてあることを特徴とする光電センサ。
【発明の詳細な説明】
【０００１】
【発明の属する技術分野】
本発明は、複数種の機能の設定を要する光電センサに関する。
【０００２】
【従来の技術】
この種の光電センサとしては、例えば、応答速度、動作モードなどの複数種の機能設定を要する光電センサがある。このものは、センサ本体の操作パネルに、各機能毎にスライドスイッチが設けられ、そのスライドスイッチのスライド方向に沿った操作パネル上に、その機能の各動作内容が記載されており、各機能は、所望の動作内容の記載位置にスライドスイッチを合わせることによって設定されるものである。
【０００３】
ところで、近年、光電センサはさらに多機能化の傾向にあるのに加えて、装置の小型化のニーズも強い。ところが、上述した光電センサにおいては、設定を要する機能の数だけスライドスイッチが必要となるため、装置の小型化という面で問題となっていた。
【０００４】
かかる課題に対応すべく、例えば、図８に示すように操作パネル８１上に７セグメント４桁表示の液晶ディスプレイ（以下、「ＬＣＤ８２」という。）と、そのＬＣＤ８２の表示内容の切替及び確定操作を行うためのジョグスイッチ８３とを設けて、４桁の数字からなるコードを入力することによって、各種機能を設定する光電センサ８０が提供されている。ここで、前記コードは、その各桁毎に、設定を要する各機能が対応付けられており、各桁の数字に対して、その桁に対応付けられた機能の各動作内容が割り付けられている。より詳しくは、図９に示すように、前記コードの１桁目に対応する機能として「応答速度」が割り付けられ、その各動作内容［高速／標準／長距離］が０から２までの数字にそれぞれ割り付けられている。以下同様に、２桁目に対応する機能として「動作モード」が割りつけられ、その各動作内容［入光時ＯＮ／非入光時ＯＮ］、３桁目に対応する機能として「アジャストロック」が割り付けられ、その各動作内容［ＯＮ／ＯＦＦ］、また４桁目に対応する機能として「タイマ時間」が割り付けられ、その各動作内容［ＯＦＦ／１ｍｓ／３ｍｓ／５ｍｓ等］が、それぞれ０から９の数字に割り付けられている。そして、例えば、図１０（設定例）に示された動作内容を設定したいときには、”２１０９”の４桁の数字列をジョグスイッチ８３により切替／確定操作すれば、そのコードの各桁の数字に対応させて予め割り付けられた各種機能の動作内容が読み出され、光電センサ８０の上記４つの機能の動作内容として設定することができる。このような構成によれば、４つの機能の設定を要する光電センサ８０に対して、入力内容を確認するための表示器としてのＬＣＤ８２を１つと、入力内容の切替及び確定をするためのジョグスイッチ８３を１つ設ければ足りるため、前記各機能毎にスライドスイッチを設けた光電センサよりも小型化が可能になる。
【０００５】
【発明が解決しようとする課題】
しかしながら、上述したコード入力による光電センサ８０では、コードの各桁毎に各機能が対応付けられているため、４つの機能の各動作内容を設定するには、コードの桁数も４桁必要になり、入力されたコードを視認するためのＬＣＤ８２の表示桁数も必然的に４桁必要になる（図１１参照）。従って、更に設定を要する機能を増やした場合には、それに応じてＬＣＤ８２の表示桁数も増やさざるを得ず、ＬＣＤ８２の搭載スペースが大きくなるため、特に多機能の設定を要する光電センサにあっては、その小型化を妨げるといった問題が残る。
本発明は上記事情に鑑みてなされたもので、その目的は、設定する機能数が増えても文字・記号等を表示する表示手段の桁数を増やす必要がなく、小型化が可能な光電センサを提供するところにある。
【０００６】
【課題を解決するための手段】
上記目的を達成するため、請求項１の発明に係る光電センサは、複数種の機能に関する動作内容を設定可能にした光電センサであって、文字・記号等をデジタル表示するための２桁以上のデジタル表示器と、このデジタル表示器の各桁毎に文字・記号等を表示させるための表示操作を行う入力手段と、前記デジタル表示器に表示された文字・記号等に対して確定操作を行う確定操作手段と、この確定操作手段によって確定された文字・記号等に対応させて予め割り付けられた動作内容を読み出して前記光電センサの動作内容として設定する動作設定手段とを備え、前記動作設定手段において、前記デジタル表示器の少なくとも１桁については複数種の機能についての各動作内容の組み合わせをその桁に表示される文字・記号等に割り付けてあることを特徴とする。
【０００８】
【発明の作用及び効果】
＜請求項１の発明＞
請求項１の構成によれば、前記光電センサの各種機能の動作内容を設定するには、まず、設定したい各種機能の各種動作内容に対応する文字・記号等を、例えばコード表などで調べる。そして、その文字・記号等を、入力手段によりデジタル表示器の各桁毎に表示させて、その表示内容を確認した上で、確定操作により確定する。すると、動作設定手段により、その文字・記号等に対応させて予め割り付けられた動作内容が読み出され、もって前記光電センサの動作内容の設定が完了する。
【０００９】
ここで、動作設定手段において、デジタル表示器の少なくとも１桁については複数種の機能についての各動作内容をその桁に表示される文字・記号等に割り付けてあるから、デジタル表示器の桁数を増やすことなく、それを超える数の機能について、その動作内容を設定することが可能になる。換言すれば、前記光電センサの多機能化により設定を要する機能が増加しても、デジタル表示器の大型化につながる表示桁数の増加を回避することが可能になる。従って、多機能化する前記光電センサに対して、その小型化を妨げることがなくなるばかりでなく、従来の前記光電センサに対して更なる小型化を図ることも可能になる。
【００１０】
【発明の実施の形態】
以下、本発明の実施形態について図１ないし図８を参照して説明する。
本実施形態に係る前記光電センサは、「応答速度」、「動作モード」、「アジャストロック」、「ファイバセンサの検出状態の表示モード」、「タイマーモード」及び「タイマー時間」の６つの機能の設定を可能にした光ファイバー型の光電センサ１０である。そのハードウエア上の構成は、図１に示す通りで、投光素子１１及び受光素子１２を備えた投受光回路１３とＣＰＵ１４とを備え、ＣＰＵ１４からの信号に基づき投光素子１１が駆動され、この投光素子１１からの光が被検出物で反射して受光素子１２に入射するか否かによって被検出物の状態がＣＰＵ１４において検出される。ＣＰＵ１４からの検出信号は出力回路１５に与えられ、これにて出力ライン１５ａ，１５ｂ間を受光素子１２への入光時又は非入光時にオンするようになっている。
【００１１】
本実施形態では、上述の種々の機能についての設定を行うために、図８に示したものと同様ないわゆるジョグスイッチ（登録商標）（以下「ジョグスイッチ１６」という）が設けられ、その操作に応じてスイッチ入力回路１７からＣＰＵ１４に信号を与えるようになっている。また、その操作に応じて設定された内容は、表示回路１８によって駆動されるデジタル表示器に相当する７セグメント４桁表示の液晶ディスプレイ（以下、「ＬＣＤ２０」という）に表示される。なお、ジョグスイッチ１６は、その構造的な詳細について図示はしないが、手指にて回転操作される操作ホイールを備え、その操作ホイールを回転させることにより前記ＬＣＤ２０の各桁に０〜９の各数字を表示することができると共に、その操作ホイールを所望な位置で押圧操作することにより、前記ＬＣＤ２０に表示されている数字を確定させることができる。従って、このジョグスイッチ１６が本発明にいう入力手段及び確定操作手段に相当する。
【００１２】
さて、本実施形態における光電センサ１０の各種機能は、ジョグスイッチ１６によって４桁の数字からなるコードを入力することによって設定されるものである。
ここで、前記コードは、図２に示すように構成されている。まず、コードの３桁目に表示される数字０〜３には、機能「タイマモード」に関する４種類の動作内容［ＯＦＦ／ＯＮディレイ／ＯＦＦディレイ／ワンショット］が割り付けられ、４桁目に表示される数字０〜９には、機能「タイマ時間」に関する１０種類の動作内容［ＯＦＦ／１ｍｓ／３ｍｓ／５ｍｓ／１０ｍｓ等］が割り付けられている。即ち、コードの３桁目及び４桁目については、従来の光電センサ８０と同様に、各桁毎に１つの機能が対応付けられており、各桁の数字に対して、その桁に対応付けられた機能の各動作内容が割り付けられている。
一方、１桁目には０〜５の数字が表示されるようになっており、それらの各数字には、機能「応答速度」に関する３種類の動作内容［高速／標準／長距離］と、機能「動作モード」に関する２種類の動作内容［入光時ＯＮ／非入光時ＯＮ］との６通りの組合せが割り付けられている。また、２桁目には０〜７の数字が表示されるようになっており、それらの各数字に機能「アジャストロック」に関する２種類の動作内容［ＯＮ／ＯＦＦ］と、機能「ファイバセンサの検出状態の表示モード」に関する４種類の動作内容［ｄｉｇｉｔ／％／ピークホールド／ボトムホールド］との８通りの組合せが割り付けられている。
【００１３】
２種の機能の各動作内容の組合せについて、コードの１桁目を例に挙げて、より詳細に説明する。コードの各桁の数字は、後述するようにジョグスイッチ１６の確定操作がされると、ＣＰＵ１４（本発明の「動作設定手段」に相当する）により２進化１０進数（以下、「ＢＣＤ」という）に変換される。そして、各機能の各動作内容と、ＢＣＤとの対応関係は、図３に示すように、機能「動作モード」に対しては、ＢＣＤのうち１ビット目が”０”であるときにはその動作内容として［入光時ＯＮ］、”１”であるときには［非入光時ＯＮ］が割り付けられている。そして、機能「応答速度」に関しては、２ビット目及び３ビット目が”０”のときには、その動作内容として［標準］、”１”のときには［高速］がそれぞれ割り付けられている。また２ビット目が”０”かつ３ビット目が”１”のときには、その動作内容として［長距離］が割り付けられている。このように、コードの１桁目の数字には、「応答速度」及び「動作モード」の２つの機能の各動作内容が、それらの組合せとして割り付けられている。
【００１４】
次に、上記構成からなる本実施形態に係る光電センサ１０の６つの機能の設定方法について、図４（設定例）に示された動作内容を設定する場合を例にとって説明する。
＜コード検索及びその入力＞
まず、各機能について設定したい動作内容に対応するコード（”４３１７”）を、例えば、図２に示したようなコード表を用いて調べる。なお、コードを調べる手段としては、コード表以外に、図５のように、各機能の設定内容を選択するとそれに対応したコードを自動検索して表示するサービスをインターネット上で行うことによって、コードの検索を容易にすることも可能である。
次いで、前記コード”４３１７”を各桁毎にジョグスイッチ１６を使って入力する。より詳細には、設定モードになると、まずＬＣＤ２０の１桁目に表示された数字が点滅して切替可能な状態になる。そして、ジョグスイッチ１６の操作ホイールを＋側又は−側にスライド操作して、数字を順次切り替えて”４”を表示させる。次いで、操作ホイールを押圧操作すると、点滅は１桁目の数字から２桁目の数字へと移動して、１桁目の数字が確定し、２桁目の数字が切替可能な状態になる。以下同様の操作により、ＬＣＤ２０の４つの桁に”４３１７”を表示させる。
【００１５】
なお、上記コードの入力操作において、切替可能状態にある桁に対して、コードの数字自体を点滅させてその数字を切り替えるとしたが、数字に割り付けられた動作内容を示唆する文字・記号等を他の桁も使って表示して、確定時にコードの全桁を表示させるものであっても良い。例えば、「タイマー時間」の設定を行う４桁目が切替可能状態にある場合には、”ＯＦＦ”、”００１”、”００３”等をジョグスイッチ１６のスライド操作で順次切替表示させれば、上記で述べたようなコード検索の負担が軽減できる。
【００１６】
＜各機能の動作内容の設定＞
さて、上記コード”４３１７”の入力を確定する操作として、例えば”４３１７”がＬＣＤ２０に表示され、かつその４桁目の数字が点滅している状態で、ジョグスイッチ１６の操作ホイールを押圧操作すると、ＣＰＵ１４により図６に示すフローチャートに従って各機能の動作内容が設定される。より詳細には、まずステップＳ１において入力されたコード”４３１７”の１桁目の確認が開始され、その１桁目の数字”４”が、ＢＣＤ”０１００”に変換される。そして、ステップ２において、そのＢＣＤの１ビット目が”１”であるかどうかの判断により「ＮＯ」とされ、もって機能「動作モード」の動作内容として［入光時ＯＮ］が設定される（ステップ４）。次いで、ステップ５において、２ビット目が”１”であるかどうかの判断より「ＮＯ」とされ、更にステップ７において、３ビット目が”１”であるかどうかの判断により「ＹＥＳ」とされ、もって機能「応答速度」の動作内容として［長距離］が設定される（ステップ８）。これにより、コード１桁目の数字に基づいて、２つの機能の設定が可能になる。以下同様に、コードの２桁目から４桁目までの確認がされ、残りの４つの機能「アジャストロック」、「ファイバセンサの検出状態の表示モード」、「タイマーモード」及び「タイマー時間」について、所望の動作内容が設定される。
【００１７】
このように、本実施形態の光電センサ１０によれば、入力される４桁のコードのうち１桁目及び２桁目については、その桁の数字に２種の機能についての各動作内容の組合せがそれぞれ割り付けられているから、その入力されたコードを視認すべくＬＣＤ２０の表示桁数を増やすことなく、それを超える数の機能について、その動作内容を設定することが可能になる（図７参照）。換言すれば、光電センサの更なる多機能化により設定を要する機能が増加しても、ＬＣＤ２０の大型化につながる表示桁数の増加を回避することが可能になる。従って、多機能化する光電センサに対して、その小型化を妨げることがなくなるばかりでなく、従来の光電センサ８０に対して更なる小型化を図ることも可能になる。
【００１８】
＜他の実施形態＞
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００１９】
（１）上記実施形態においては、コードは４桁の数字で構成されたが、これ以外の桁の数字や、英文字や記号などで構成されたものであっても良い。
【００２０】
（２）また、上記実施形態においては、コードのうち１桁目及び２桁目の数字に、２種の機能の各動作内容の組合せを割り付けたが、これに限られず、例えば、全ての桁の数字に対して、複数種（３種以上も含む）の機能の各動作内容の組合せを割り付けても良い。
【００２１】
（３）上記実施形態においては、コードの入力手段は、ジョグスイッチ１６によって構成されたが、数字や文字などを入力するコンソールを別途設けるようにしても良いし、多段階に切り替えできるスイッチを４桁分設けて設定するようにしても良い。
【図面の簡単な説明】
【図１】本発明の一実施形態に係る光電センサを示すブロック図
【図２】入力コードの構成図
【図３】入力コードの１桁目の数字、ＢＣＤ及び動作内容の対応図
【図４】設定例を示す図
【図５】インターネットによるコード検索例を示す図
【図６】フローチャート
【図７】ＬＣＤの表示桁と設定機能との関係図
【図８】従来の光電センサの操作部の側面図
【図９】従来の光電センサの入力コードの構成図
【図１０】従来の光電センサにおける設定例を示す図
【図１１】従来の光電センサのＬＣＤの表示桁と設定機能との関係図
【符号の説明】
１４…ＣＰＵ（動作設定手段）
１６…ジョグスイッチ（入力手段、確定操作手段）
２０…ＬＣＤ（デジタル表示器）
【図１】
0003769181.tif 000002
【図２】
0003769181.tif 000003
【図３】
0003769181.tif 000004
【図４】
0003769181.tif 000005
【図５】
0003769181.tif 000006
【図６】
0003769181.tif 000007
【図７】
0003769181.tif 000008
【図８】
0003769181.tif 000009
【図９】
0003769181.tif 000010
【図１０】
0003769181.tif 000011
【図１１】
0003769181.tif 000012